(57)【要約】【課題】建材同士の縦継目が柱スパン間に位置する場合であっても該建材の横ズレを防止することができる建材の取付金具及び取付構造を提供する。【解決手段】取付金具アッセンブリ１は、取付金具２０，２０を連結金具１０によって連結したものである。取付金具２０の係止部２４によって下段側の建材５０の上部を係止し、支持部２６によって上段側の建材５０を支承する。取付金具２０は横長材１０の左端又は右端にビス１５によりビス留めされている。左側又は右側の連結金具１０がビス２により柱又は間柱の縦銅縁５４に固着される。【選択図】図１
2007070854.tif 000002
【特許請求の範囲】
【請求項１】
建物の柱に対し板状の建材を取り付けるための取付金具同士を連結してなる取付金具アッセンブリであって、
該取付金具は、下段側建材の上部を前後移動不能に係止する係止部と、上段側の建材の下部が載荷され、該建材下部を前方移動不能に支持する支持部とを有しており、
該取付金具によって建材を取り付けた状態において取付金具同士が左右に隣接するように配置されていることを特徴とする建材の取付金具アッセンブリ。
【請求項２】
請求項１において、取付金具のうちの１個に、下段側建材の側面に当接して建材の横移動を阻止するストッパ片が設けられていることを特徴とする建材の取付金具アッセンブリ。
【請求項３】
請求項１又は２において、前記取付金具左右の側辺に沿って開口が設けられており、
該開口に係合した連結金具によって取付金具同士が連結されていることを特徴とする建材の取付金具アッセンブリ。
【請求項４】
請求項３において、該連結金具は、該開口と取付金具の側辺との間を挟持していることを特徴とする建材の取付金具アッセンブリ。
【請求項５】
壁面の柱列に対し複数枚の板状の建材を取付金具アッセンブリによって取り付けた建材の取付構造において、
少なくとも一部の該建材同士の縦継目が柱同士のスパン間に位置しており、
該柱に請求項１ないし４のいずれか１項に記載の建材取付金具アッセンブリのうちの１個の取付金具が固定され、各取付金具に建材が留め付けられていることを特徴とする建材の取付構造。
【請求項６】
請求項５において、該取付金具アッセンブリの他の取付金具に、下段側建材の側面に当接して建材の横移動を阻止するストッパ片が装着されており、該ストッパ片が下段側建材同士の縦継目間に差し込まれていることを特徴とする建材の取付構造。
【発明の詳細な説明】
【技術分野】
【０００１】
本発明は建材の取付金具アッセンブリ及びそれを用いて建材を柱に取り付けた構造に関するものである。詳しくは、柱に対し複数の板状建材を上下に多段に取り付ける場合に採用される取付金具アッセンブリと、この取付金具アッセンブリを用いた建材の取付構造とに関するものである。
【背景技術】
【０００２】
板状の建材を建築物の外壁等の壁面に対し、上下に多段に且つ水平左右方向に並列させて取付施工する場合、建材の上辺及び下辺を金具で支承することが多い。この金具として、下段側の建材の上辺を支持する支持部と、上段側の建材の下辺を係止する係止部を有し、釘又はビスによって壁面に固定されるものが用いられている。
【０００３】
第９図はかかる取付金具の従来の一例（特開平８−１２０８９４号）を示す斜視図である。この取付金具（同号公報では接合金具と指称している）８０は、基台８２と、該基台８２上に立設される幹板部８４と、該幹板部８４の上縁から両側に延設される枝板部８５Ａ，８５Ｂとからなる。８８Ａはビス穴、８８Ｂは釘穴である。この枝板部８５Ａによって下段側の建築板の上辺を支承し、枝板部８６Ｂによって上段側の建築板の下辺を支承する。
【０００４】
このように板状建材（建築板）の上辺と下辺とを支承した場合、強風、地震、振動その他の外力が加えられたときに、建材が横ずれするおそれがある。この横ずれを防止するために、上記の特開平８−１２０８９４号においては、第９図の通り、基台８２の一側縁から係止板８７を前方に突設している。
【０００５】
ところで、従来、取付金具を用いて建材を柱に取付施工するに際し、第１０図の通り、建材５０同士の縦継目Ｊが柱５２の胴縁５４の前方に来る場合、通常の取付金具６０にて建材を柱に留め付けることができる。なお、第１０図において、柱５２の前面に胴縁５４が釘留めされ、この胴縁５４の前面に防水シート５６が張られ、板状建材５０が下段側から順次に取付施工される。この建材の上辺には雄実５０ａが設けられ、下辺には雌実５０ｂが設けられている。
【０００６】
下段側の建材５０の雄実５０ａに取付金具６０を係合させ、この取付金具６０を釘又はビスにより胴縁５４に留め付ける。次いで、下段側建材５０の雄実５０ａに上段側建材５０の雌実５０ｂを係合させると共に、この雌実５０ｂを取付金具６０に係合させる。以下、この手順を繰り返すことにより、壁面が構築される。
【０００７】
ところが、建材の左右寸法が柱スパンの整数倍でない場合などには、建材同士の縦継目が柱同士のスパン間に来ることになり、この場合には、前記第６図の取付金具６０では縦継目を挟んで隣り合う建材を跨ぐことができず、両建材の出入りに差が生じることになる。
【０００８】
かかる短所を克服するものとして、特開２００４−２７０３４１号公報には、柱同士の間にレールを架設し、該レールにストッパ片付き建材取付金具をスライド可能に取り付け、該建材取付金具をレールに沿ってスライドさせてストッパ片を建材の側面同士の間に入り込ませた後、建材取付金具をレールに固定することが記載されている。
【特許文献１】特開平８−１２０８９４号公報
【特許文献２】特開２００４−２７０３４１号公報
【発明の開示】
【発明が解決しようとする課題】
【０００９】
この特開２００４−２７０３４１号公報では、レールに建材取付金具をスライド自在に装着しており、構成が若干複雑であり、コスト高である。
【００１０】
本発明は、上記従来の問題点を解決し、建材同士の縦継目が柱スパン間に位置する場合に使用することができる建材取付金具アッセンブリ及び取付構造を安価に提供することを目的とする。また、本発明は、その一態様において、この建材の横ズレを防止することができる建材の取付金具アッセンブリ及び取付構造を安価に提供することを目的とする。
【課題を解決するための手段】
【００１１】
請求項１の建材の取付金具アッセンブリは、建物の柱に対し板状の建材を取り付けるための取付金具同士を連結してなる取付金具アッセンブリであって、該取付金具は、下段側建材の上部を前後移動不能に係止する係止部と、上段側の建材の下部が載荷され、該建材下部を前方移動不能に支持する支持部とを有しており、該取付金具によって建材を取り付けた状態において取付金具同士が左右に隣接するように配置されていることを特徴とするものである。
【００１２】
請求項２の建材の取付金具アッセンブリは、請求項１において、取付金具のうちの１個に、下段側建材の側面に当接して建材の横移動を阻止するストッパ片が設けられていることを特徴とするものである。
【００１３】
請求項３の建材の取付金具アッセンブリは、請求項１又は２において、前記取付金具左右の側辺に沿って開口が設けられており、該開口に係合した連結金具によって取付金具同士が連結されていることを特徴とするものである。
【００１４】
請求項４の建材の取付金具アッセンブリは、請求項３において、該連結金具は、該開口と取付金具の側辺との間を挟持していることを特徴とするものである。
【００１５】
請求項５の建材の取付構造は、壁面の柱列に対し複数枚の板状の建材を取付金具アッセンブリによって取り付けた建材の取付構造において、少なくとも一部の該建材同士の縦継目が柱同士のスパン間に位置しており、該柱に請求項１ないし４のいずれか１項に記載の建材取付金具アッセンブリのうちの１個の取付金具が固定され、各取付金具に建材が留め付けられていることを特徴とするものである。
【００１６】
請求項６の建材の取付構造は、請求項５において、該取付金具アッセンブリの他の取付金具に、下段側建材の側面に当接して建材の横移動を阻止するストッパ片が装着されており、該ストッパ片が下段側建材同士の縦継目間に差し込まれていることを特徴とするものである。
【発明の効果】
【００１７】
本発明の建材取付金具は、取付金具同士を連結したものであり、レールに対し取付金具をスライド自在に装着するための機構が不要であり、構造が簡易で安価なものとなる。
【００１８】
この取付金具同士は、例えば各取付金具に設けられた開口に係合する連結金具によって連結される。
【００１９】
本発明の建材取付金具アッセンブリにあっては、１個の取付金具にストッパ片を設け、このストッパ片を下段側建材同士の継目に差し込み、下段側建材の横ズレを防止することも可能である。
【発明を実施するための最良の形態】
【００２０】
以下、図面を参照して実施の形態について説明する。
【００２１】
第１図は実施の形態に係る取付金具アッセンブリの斜視図、第２図はこの取付金具アッセンブリの分解斜視図、第３図は連結金具の構成図、第４図はこの取付金具とストッパ片との係合関係を示す斜視図、第５図はこの取付金具アッセンブリを用いた建材取付構造を示す斜視図、第６図はこの構造における第１図のVI−VI線断面図である。
【００２２】
この取付金具アッセンブリ１は、連結金具１０を介して、左右に隣接する取付金具２０同士を連結したものである。この実施の形態では、２個の取付金具２０を連結しているが、３個以上の取付金具同士をそれぞれ連結金具１０を介して連結してもよい。
【００２３】
連結金具１０は、取付金具２０に装着された状態において、取付金具２０，２０間で上下方向に延在する主板部１１と、該主板部１１の上端部以外の左右両側辺から直角に前方へ起立する起立片１２，１２と、各起立片１２，１２の先端から左右に互いに離反するように延出した延出片１４，１４と、該延出片１４，１４の下辺から下方に延出した差込片１５，１５と、主板部１１の上端部の左右両側辺から直角に前方へ起立する突片１３，１３とを有する。
【００２４】
突片１３，１３同士の間隔は起立片１２，１２同士の間隔よりも若干大きいものとなっている。具体的には、突片１３の板面と、起立片１２の板面との面間隔は、取付金具２０の後述の脚片部３４の厚み分に相当する。
【００２５】
差込片１５は、延出片１４よりも若干後退しており、差込片１５の板面と延出片１４の板面との間に段差が存在する。この段差は、後述する取付金具２０のベース部２２の肉厚に相当する。
【００２６】
次に、取付金具２０の構成について詳細に説明する。
【００２７】
該取付金具２０は、柱又は間柱に固定されるベース部２２と、このベース部２２から切り起こしにより形成された、下段側の建材の上辺を係止する係止部２４と、上段側の建材の下辺を支持する支持部２６と、該ベース部２２に設けられたストッパ片４０の差込み用の開口２８と、該ベース部２２を固定するためのビス１５が挿通されるビス孔３０とを有している。この実施の形態では左右方向に３個のビス孔が設けられている。
【００２８】
該ベース部２２は柱又は間柱に沿って配置されたときにその前面が全体として該柱又は間柱から所定距離前方に位置する板状のものである。該ベース部２２の下縁部及び左右の側縁部からは、脚片部３２，３４が後方に立設されている。
【００２９】
該開口２８は、ベース部２２の左右幅方向の中央付近の下縁部に沿って設けられている。
【００３０】
係止部２４は、該開口２８の切り抜き残片を折曲させた下向きＬ形片であり、該開口２２の上縁部から前方に延出している。
【００３１】
ベース部の左右側辺に沿って、支持部２６を切り起すことにより形成された開口２９を有する。支持部２６は、この開口２９の切り抜き残片を折曲させた上向きＬ形片よりなり、支持部２６の左右の両サイドに配置されている。
【００３２】
この実施の形態では、ベース部２２の左右両側縁部の下部に、下段側の建材の裏面に食い込んだり、側面に当接したりすることが可能な爪片３８が突設されている。該爪片３８の上下両側にスリット３８ａ，３８ｂが形成されることにより舌片部３８ｃがベース部２２に設けられている。この舌片部３８ｃの先端に爪片３８が設けられている。この舌片部３８ｃは後方に向って変形可能である。
【００３３】
前記ストッパ片４０は、該開口２８の下側の縁部を形成する脚片部３２を弾性的に挟持する弾性挟持部４２と、該弾性挟持部４２から下方に垂下した垂下片４４を有している。この垂下片４４に、係止同士の間に差し込まれるストッパ片本体４４ａが一体に設けられている。該ストッパ片４０は、該弾性挟持部４２が脚片部３２を挟持することによりベース部２２に装着される。
【００３４】
この取付金具２０，２０同士を連結金具１０によって連結するには、連結金具１０を取付金具２０，２０間に配置し、この際、起立片１２，１２を左右の取付金具２０，２０の脚片部３４，３４の外面に当接させる。突片１３を、脚片部３４の上端から該脚片部３４の裏側に差し込む。延出片１４，１４を、左右の取付金具２０，２０のベース部２２の前面に重ねると共に、各延出片１４，１４の先端側を開口２９，２９内に張り出させる。そして、差込片１５，１５を支持部２６の付け根付近からベース部２２の裏側に差し込む。
【００３５】
これにより、脚片部３４が起立片１２と突片１３とによって挟持される。また、開口２９と脚片部３４との間の取付金具側辺部が、起立片１２と差込片１５によって左右方向に挟持される。
【００３６】
このようにして、取付金具２０，２０が連結金具１０によってしっかりと連結されて取付金具アッセンブリ１が構成される。
【００３７】
この取付金具２０及び連結金具１０よりなる取付金具アッセンブリ１を用いた建材の取付構造について第５，６図を参照して説明するなお、第５，６図では、第１０図と同一部分には同一符号を付してある。
【００３８】
柱と間柱がスパン４５５ｍｍにて立設されており、建材５０が柱に沿って下段側から順次に取り付け施工される。この取り付け手順は、取付金具として本発明のものを用いること以外は第１０図の場合と同様である。なお、第５図でも防水シート５６が張設されている。これらの建材５０及び防水シート５６の構成は第１０図と同様である。
【００３９】
取付金具２０の係止部２４が下段側建材５０の上辺の雄実５０ａに係合され、ストッパ片本体４４ａが該建材５０の側面に当接される。この実施の形態では、左側の取付金具２０がビス２によって柱５２又は間柱前面の胴縁５４に対し固定される。これにより、建材５０の上部は前方への移動が拘束される。
【００４０】
なお、第５図では建材５０，５０の縦継目が柱５２の右側に近接しているので、左側の取付金具２０をビス留めし、右側の取付金具２０に設けたストッパ片４０のストッパ片本体４４を建材縦継目Ｊに差し込んでいるが、縦継目が柱５２の左側に近接しているときには、左側の取付金具２０にストッパ片４４を取り付けておき、右側の取付金具２０をビス留めする。
【００４１】
次いで、この建材５０に水平に隣接する建材５０を施工する。下段側のすべての建材５０の施工が終了した後、上段側の建材５０の施工を行う。この場合、上段側の建材５０の下辺の雌実５０ｂを支持部２６に載置する。これにより、建材５０が支承されると共に、建材５０の下部の前方への移動が拘束される。上段側の建材５０の上辺は、取付金具アッセンブリ１を用いて上記と同様にして柱又は間柱の胴縁５４に留め付けられる。
【００４２】
なお、建材同士の縦継目が柱又は間柱に重なるときには、連結金具１０で連結しない単品の取付金具２０を用いれば足りる。
【００４３】
上記のように、この実施の形態では連結金具１０と取付金具２０とからなる取付金具アッセンブリ１を用いているので、建材５０の縦継目Ｊが柱、間柱の胴縁５４から外れていても、左右に隣接する建材５０を面出入りを揃えて取付施工することができる。しかも、取付金具１のストッパ片４０により、建材５０の横ズレも防止される。
【００４４】
この取付金具アッセンブリ１は、連結金具１０と取付金具２０とからなるものであり、構成が簡易で安価である。なお、取付金具２０としては市販品を用いることができる。
【００４５】
上記実施の形態は本発明の一例であり、本発明は図示以外の形態をもとりうる。例えば、連結金具１０の代わりに、第７，８図に示す連結金具１０Ａを用いてもよい。
【００４６】
連結金具１０Ａは、取付金具２０に装着された状態において、前方に向って開放する第１コ字形状部１６と、この第１コ字形状部１６の左右に配置され、後方に向って開放する第２コ字形状部１７と、各第２コ字形状部１７から左右方向に互いに離反するように延出する延出片１８と、該延出片１８の延出方向の先端から前方へ折り立てられた爪片１９とを有する。
【００４７】
この第１コ字形状部１６を取付金具２０，２０間に前方から挿入し、第２コ字形状部１７内に取付金具２０の開口２９と脚片部３４との間の側辺部を嵌合させる。延出片１８を開口２９内に配置し、爪片１９を開口２９の内縁（脚片部３４から遠いサイドの内縁）に当接させる。
【００４８】
この連結金具１０Ａによって取付金具２０，２０が連結された取付金具アッセンブリ１Ａも第５図のように用いられる。
【００４９】
上記実施の形態では、本柱、間柱に建材が取付施工されているが、鉄骨に取付施工されてもよい。
【図面の簡単な説明】
【００５０】
【図１】本発明の実施の形態に係る建材の取付金具アッセンブリの斜視図である。
【図２】図１の取付金具アッセンブリの分解斜視図である。
【図３】（ａ）図は連結金具の正面図、（ｂ），（ｃ）図は（ａ）図のＢ−Ｂ線、Ｃ−Ｃ線矢視図である。
【図４】取付金具とストッパ片とを示す斜視図である。
【図５】実施の形態に係る建材取付構造を示す斜視図である。
【図６】図５の構造における図１のII−II線に沿う断面図である。
【図７】別の実施の形態に係る取付金具アッセンブリの分解斜視図である。
【図８】図７の取付金具アッセンブリの斜視図である。
【図９】従来の取付金具を示す斜視図である。
【図１０】従来例を示す斜視図である。
【符号の説明】
【００５１】
１，１Ａ  取付金具アッセンブリ
１０，１０Ａ  連結金具
２０  取付金具
２４  係止部
２６  支持部
２８，２９  開口
３２，３４  脚片部
４０  ストッパ片
４４ａ  ストッパ片本体
【図１】
2007070854.tif 000003
【図２】
2007070854.tif 000004
【図３】
2007070854.tif 000005
【図４】
2007070854.tif 000006
【図５】
2007070854.tif 000007
【図６】
2007070854.tif 000008
【図７】
2007070854.tif 000009
【図８】
2007070854.tif 000010
【図９】
2007070854.tif 000011
【図１０】
2007070854.tif 000012